(57)【要約】【課題】ランドとグルーブのいずれにおいても良好なピット信号が得られ、かつ、光記録原盤を製造するのが容易なランド／グルーブ記録用の光記録媒体を提供する。【解決手段】トラック１ａ、２ａの境界には、双方に共通なアドレス情報を有するピット４ａが形成されている。ピット４ａを形成した部分では、トラック１ａとトラック２ａとの境界が、ピットを形成しない部分におけるトラック１ａの中心の延長線上までトラック１ａ側へ突出しており、かつ、トラック２ａを挟んでトラック１ａに対向するトラック３ａとトラック２ａとの境界が、ピットを形成しない部分におけるトラック２ａの中心の延長線上までトラック２ａ側へ突出している。【選択図】  図１
2004178781.tif 000002
【特許請求の範囲】
【請求項１】
記録トラックを構成するランドとグルーブとが交互に配設され、ランドとグルーブの双方に共通なアドレス情報を有するピットがトラック方向に間欠的に形成された光記録媒体において、ピットを形成した部分では、ランドに相当する第１のトラックとグルーブに相当する第２のトラックとの境界が、ピットを形成しない部分における前記第１のトラックと前記第２のトラックとの境界よりも前記第１のトラック側へ突出しており、かつ、前記第２のトラックを挟んで前記第１のトラックに対向するランドに相当する第３のトラックと前記第２のトラックとの境界が、ピットを形成しない部分における前記第３のトラックと前記第２のトラックとの境界よりも前記第２のトラック側へ突出していることを特徴とする光記録媒体。
【請求項２】
前記ピットを形成した部分では、前記第１のトラックと前記第２のトラックとの境界が、前記ピットを形成しない部分における前記第１のトラックの中心の延長線上まで突出しており、かつ、前記第３のトラックと前記第２のトラックとの境界が、前記ピットを形成しない部分における前記第２のトラックの中心の延長線上まで突出していることを特徴とする請求項１に記載の光記録媒体。
【請求項３】
前記ピットを形成した部分では、前記第１のトラックと前記第２のトラックとの境界が、前記ピットを形成しない部分における前記第１のトラックの中心の延長線上まで突出しており、かつ、前記第３のトラックと前記第２のトラックとの境界が、前記ピットを形成しない部分における前記第２のトラックの中心の延長線上までよりも少なく突出していることを特徴とする請求項１に記載の光記録媒体。
【請求項４】
前記第１のトラックを挟んで前記第２のトラックに対向するグルーブに相当するトラックを第４のトラック、該第４のトラックを挟んで前記第１のトラックに対向するランドに相当するトラックを第５のトラックとするとき、前記ピットを形成した部分に隣接する部分では、前記第５のトラックと前記第４のトラックとの境界が、前記ピットを形成した部分に隣接しない部分における前記第５のトラックと前記第４のトラックとの境界よりも前記第５のトラック側へ突出しており、かつ、前記第１のトラックと前記第４のトラックとの境界が、前記ピットを形成した部分に隣接しない部分における前記第１のトラックと前記第４のトラックとの境界よりも前記第４のトラック側へ突出していることを特徴とする請求項１または２に記載の光記録媒体。
【請求項５】
前記ピットを形成した部分に隣接する部分では、前記第５のトラックと前記第４のトラックとの境界が、前記ピットを形成した部分に隣接しない部分における前記第５のトラックの中心の延長線上まで突出しており、かつ、前記第１のトラックと前記第４のトラックとの境界が、前記ピットを形成した部分に隣接しない部分における前記第４のトラックの中心の延長線上まで突出していることを特徴とする請求項４に記載の光記録媒体。
【請求項６】
前記第１のトラックを挟んで前記第２のトラックに対向するグルーブに相当するトラックを第４のトラックとするとき、前記ピットを形成した部分に隣接する部分では、前記第４のトラックを構成するグルーブが分断されていることを特徴とする請求項１または２に記載の光記録媒体。
【請求項７】
前記第３のトラックを挟んで前記第２のトラックに対向するグルーブに相当するトラックを第５のトラックとするとき、前記ピットを形成した部分に隣接する部分では、前記第５のトラックを構成するグルーブが分断されていることを特徴とする請求項６に記載の光記録媒体。
【請求項８】
記録トラックを構成するランドとグルーブとが交互に配設され、ランドとグルーブの双方に共通なアドレス情報を有するピットがトラック方向に間欠的に形成された光記録媒体において、ピットを形成した部分では、ランドに相当する第１のトラックとグルーブに相当する第２のトラックとの境界が、ピットを形成しない部分における前記第１のトラックと前記第２のトラックとの境界よりも前記第２のトラック側へ突出しており、かつ、前記第２のトラックを挟んで前記第１のトラックに対向するランドに相当する第３のトラックと前記第２のトラックとの境界が、ピットを形成しない部分における前記第３のトラックと前記第２のトラックとの境界よりも前記第３のトラック側へ突出しており、かつ、前記第１のトラックと該第１のトラックを挟んで前記第２のトラックに対向するグルーブに相当する第４のトラックとの境界が、ピットを形成しない部分における前記第１のトラックと前記第４のトラックとの境界よりも前記第１のトラック側へ突出していることを特徴とする光記録媒体。
【請求項９】
前記ピットを形成した部分では、前記第１のトラックと前記第２のトラックとの境界が、前記ピットを形成しない部分における前記第２のトラックの中心の延長線上まで突出しており、かつ、前記第３のトラックと前記第２のトラックとの境界が、前記ピットを形成しない部分における前記第３のトラックの中心の延長線上まで突出しており、かつ、前記第１のトラックと前記第４のトラックとの境界が、前記ピットを形成しない部分における前記第１のトラックの中心の延長線上まで突出していることを特徴とする請求項８に記載の光記録媒体。
【請求項１０】
前記第３のトラックを挟んで前記第２のトラックに対向するグルーブに相当するトラックを第５のトラック、該第５のトラックを挟んで前記第３のトラックに対向するランドに相当するトラックを第６のトラックとするとき、前記ピットを形成した部分に隣接する部分では、前記第６のトラックと前記第５のトラックとの境界が、前記ピットを形成した部分に隣接しない部分における前記第６のトラックと前記第５のトラックとの境界よりも前記第６のトラック側へ突出しており、かつ、前記第３のトラックと前記第５のトラックとの境界が、前記ピットを形成した部分に隣接しない部分における前記第３のトラックと前記第５のトラックとの境界よりも前記第５のトラック側へ突出していることを特徴とする請求項６に記載の光記録媒体。
【請求項１１】
前記ピットを形成した部分に隣接する部分では、前記第６のトラックと前記第５のトラックとの境界が、前記ピットを形成した部分に隣接しない部分における前記第６のトラックの中心の延長線上まで突出しており、かつ、前記第３のトラックと前記第５のトラックとの境界が、前記ピットを形成した部分に隣接しない部分における前記第５のトラックの中心の延長線上まで突出していることを特徴とする請求項１０に記載の光記録媒体。
【請求項１２】
前記ピットを形成した部分では、隣接する２つのトラックの境界は実質的に直線状であることを特徴とする請求項１〜３、８、９のいずれかに記載の光記録媒体。
【請求項１３】
前記ピットを形成した部分では、隣接する２つのトラックの境界は、少なくともピットの前後のエッジの部分で曲線状であることを特徴とする請求項１〜３、８、９のいずれかに記載の光記録媒体。
【請求項１４】
前記ピットを形成した部分では、隣接する２つのトラックの境界は実質的に直線状であり、かつ、前記隣接する２つのトラックの一方を構成するランドと、該一方を構成するランドを挟んで他方を構成するグルーブに対向するグルーブとの境界は、前記ピットを形成した部分に隣接する部分で実質的に直線状であることを特徴とする請求項４または５に記載の光記録媒体。
【請求項１５】
前記ピットを形成した部分では、隣接する２つのトラックの境界は少なくともピットの前後のエッジの部分で曲線状であり、かつ、前記隣接する２つのトラックの一方を構成するランドと、該一方を構成するランドを挟んで他方を構成するグルーブに対向するグルーブとの境界は、少なくともピットの前後のエッジに隣接する部分で曲線状であることを特徴とする請求項４または５に記載の光記録媒体。
【請求項１６】
前記ピットを形成した部分では、隣接する２つのトラックの境界は実質的に直線状であり、かつ、前記隣接する２つのトラックの一方を構成するランドを挟んで他方を構成するグルーブに対向するグルーブが、前記ピットを形成した部分に隣接する部分で実質的に直線状に分断されていることを特徴とする請求項６に記載の光記録媒体。
【請求項１７】
前記ピットを形成した部分では、隣接する２つのトラックの境界は少なくともピットの前後のエッジの部分で曲線状であり、かつ、前記隣接する２つのトラックの一方を構成するランドを挟んで他方を構成するグルーブに対向するグルーブが、前記ピットを形成した部分に隣接する部分で曲線状に分断されていることを特徴とする請求項６に記載の光記録媒体。
【請求項１８】
前記ピットを形成した部分では、隣接する２つのトラックの境界は実質的に直線状であり、かつ、前記隣接する２つのトラックを挟む２つのグルーブが、前記ピットを形成した部分に隣接する部分で実質的に直線状に分断されていることを特徴とする請求項７に記載の光記録媒体。
【請求項１９】
前記ピットを形成した部分では、隣接する２つのトラックの境界は少なくともピットの前後のエッジの部分で曲線状であり、かつ、前記隣接する２つのトラックを挟む２つのグルーブが、前記ピットを形成した部分に隣接する部分で曲線状に分断されていることを特徴とする請求項７に記載の光記録媒体。
【請求項２０】
前記ピットを形成した部分では、隣接する２つのトラックの境界は実質的に直線状であり、かつ、前記隣接する２つのトラックの一方を構成するランドを挟んで他方を構成するグルーブに対向するグルーブが、前記ピットを形成した部分に隣接する部分で実質的に直線状に分断されており、かつ、前記他方を構成するグルーブを挟んで前記一方を構成するランドに対向するランドと、該ランドを挟んで前記他方を構成するグルーブに対向するグルーブとの境界は、前記ピットを形成した部分に隣接する部分で実質的に直線状であることを特徴とする請求項１０または１１に記載の光記録媒体。
【請求項２１】
前記ピットを形成した部分では、隣接する２つのトラックの境界は少なくともピットの前後のエッジの部分で曲線状であり、かつ、前記隣接する２つのトラックの一方を構成するランドを挟んで他方のグルーブに対向するグルーブが、前記ピットを形成した部分に隣接する部分で曲線状に分断されており、かつ、前記他方を構成するグルーブを挟んで前記一方を構成するランドに対向するランドと、該ランドを挟んで前記他方を構成するグルーブに対向するグルーブとの境界は、少なくともピットの前後のエッジに隣接する部分で曲線状であることを特徴とする請求項１０または１１に記載の光記録媒体。
【請求項２２】
一つのアドレス情報が複数のピットにより構成され、該複数のピットはトラック方向の一箇所に集中して形成されていることを特徴とする請求項１〜２１のいずれかに記載の光記録媒体。
【請求項２３】
前記複数のピットのうち、いずれかのピットの長さ及び隣接するピット間の長さを変調することにより前記一つのアドレス情報が構成されることを特徴とする請求項２２に記載の光記録媒体。
【請求項２４】
一つのアドレス情報が複数のピットにより構成され、該複数のピットはトラック方向の複数箇所に分散して形成されていることを特徴とする請求項１〜２１のいずれかに記載の光記録媒体。
【請求項２５】
前記複数のピットのうち、いずれかのピットの有無またはピットの位置を変調することにより前記一つのアドレス情報が構成されることを特徴とする請求項２４に記載の光記録媒体。
【請求項２６】
光源と、該光源からの出射光を請求項１〜２５のいずれかに記載の光記録媒体へ導く光学系と、光検出器と、前記光記録媒体からの反射光を前記光検出器へ導く光学系と、前記光検出器で受光された光からアドレス情報及び記録データを再生する回路系とを有することを特徴とする光学式情報再生装置。
【請求項２７】
前記光検出器が複数の受光部を備え、該複数の受光部で受光された光から演算によって求めたラジアルプッシュプル信号またはタンジェンシャルプッシュプル信号に基づいて前記アドレス情報を再生し、かつ、前記複数の受光部で受光された光から演算によって求めた和信号に基づいて前記記録データを再生することを特徴とする請求項２６に記載の光学式情報再生装置。
【請求項２８】
前記回路系は、ランドとグルーブとで入力信号に対する出力信号の極性を互いに反転させることを特徴とする請求項２７に記載の光学式情報再生装置。
【請求項２９】
請求項１〜２５のいずれかに記載の光記録媒体を作製するための光記録原盤を基板から製造する光記録原盤の製造方法であって、ピットを形成しない溝の部分を露光する際には、スポット中心が前記溝の中心と一致した第１の集光スポットを基板へ照射し、ピットを形成する部分を露光する際には、スポット中心が前記溝の中心と一致しているか前記溝の中心からトラックと直交する方向へシフトした前記第１の集光スポット、及び／または、スポット中心が前記溝の中心からトラックと直交する方向へシフトした第２の集光スポットを基板へ照射することを特徴とする光記録原盤の製造方法。
【請求項３０】
請求項２に記載の光記録媒体を作製するための光記録原盤を基板から製造する光記録原盤の製造方法であって、ピットを形成しない溝の部分を露光する際には、第１の集光スポットをスポット中心が前記溝の中心と一致するようにして基板へ照射し、ピットを形成する部分を露光する際には、前記第１の集光スポットをスポット中心が前記溝の中心からトラックと直交する方向へトラックの幅の略１／２だけシフトするようにして基板へ照射することを特徴とする光記録原盤の製造方法。
【請求項３１】
請求項２に記載の光記録媒体を作製するための光記録原盤を基板から製造する光記録原盤の製造方法であって、第１及び第２の集光スポットを用意し、ピットを形成しない溝の部分を露光する際には、前記第１の集光スポットをスポット中心が前記溝の中心と一致するようにして基板へ照射し、ピットを形成する部分を露光する際には、前記第２の集光スポットをスポット中心が前記溝の中心からトラックと直交する方向へトラックの幅の略１／２だけシフトするようにして基板へ照射することを特徴とする光記録原盤の製造方法。
【請求項３２】
請求項３に記載の光記録媒体を作製するための光記録原盤を基板から製造する光記録原盤の製造方法であって、ピットを形成しない溝の部分を露光する際には、第１の集光スポットをスポット中心が前記溝の中心と一致するようにして基板へ照射し、ピットを形成する部分を露光する際には、前記第１の集光スポットをスポット中心が前記溝の中心からトラックと直交する方向へトラックの幅の略１／２よりも少なくシフトするようにし、かつ、前記ピットを形成しない溝の部分を露光する際よりも強度を強くして基板へ照射することを特徴とする光記録原盤の製造方法。
【請求項３３】
請求項３に記載の光記録媒体を作製するための光記録原盤を基板から製造する光記録原盤の製造方法であって、第１及び第２の集光スポットを用意し、ピットを形成しない溝の部分を露光する際には、前記第１の集光スポットをスポット中心が前記溝の中心と一致するようにして基板へ照射し、ピットを形成する部分を露光する際には、前記第２の集光スポットをスポット中心が前記溝の中心からトラックと直交する方向へトラックの幅の略１／２だけシフトするようにして基板へ照射し、前記第１の集光スポットをスポット中心が前記溝の中心からトラックと直交する方向へトラックの幅の略１／２よりも少なくシフトするようにして基板へ照射することを特徴とする光記録原盤の製造方法。
【請求項３４】
請求項５に記載の光記録媒体を作製するための光記録原盤を基板から製造する光記録原盤の製造方法であって、第１及び第２の集光スポットを用意し、ピットを形成しない溝の部分を露光する際には、前記第１の集光スポットをスポット中心が前記溝の中心と一致するようにして基板へ照射し、ピットを形成する部分を露光する際には、前記第２の集光スポットをスポット中心が前記溝の中心からトラックと直交する方向へトラックの幅の略１／２だけシフトするようにして基板へ照射し、かつ、ピットを形成する部分に隣接しない溝の部分を露光する際には、前記第１の集光スポットをスポット中心が前記溝の中心と一致するようにして基板へ照射し、ピットを形成する部分に隣接する一方の部分を露光する際には、前記第２の集光スポットをスポット中心が前記溝の中心からトラックと直交する方向へトラックの幅の略１／２だけシフトするようにして基板へ照射することを特徴とする光記録原盤の製造方法。
【請求項３５】
請求項６に記載の光記録媒体を作製するための光記録原盤を基板から製造する光記録原盤の製造方法であって、第１及び第２の集光スポットを用意し、ピットを形成しない溝の部分を露光する際には、前記第１の集光スポットをスポット中心が前記溝の中心と一致するようにして基板へ照射し、ピットを形成する部分を露光する際には、前記第２の集光スポットをスポット中心が前記溝の中心からトラックと直交する方向へトラックの幅の略１／２だけシフトするようにして基板へ照射し、かつ、ピットを形成する部分に隣接しない溝の部分を露光する際には、前記第１の集光スポットをスポット中心が前記溝の中心と一致するようにして基板へ照射し、ピットを形成する部分に隣接する一方の部分を露光する際には、前記第１及び第２の集光スポットを基板へ照射しないことを特徴とする光記録原盤の製造方法。
【請求項３６】
請求項７に記載の光記録媒体を作製するための光記録原盤を基板から製造する光記録原盤の製造方法であって、第１及び第２の集光スポットを用意し、ピットを形成しない溝の部分を露光する際には、前記第１の集光スポットをスポット中心が前記溝の中心と一致するようにして基板へ照射し、ピットを形成する部分を露光する際には、前記第２の集光スポットをスポット中心が前記溝の中心からトラックと直交する方向へトラックの幅の略１／２だけシフトするようにして基板へ照射し、かつ、ピットを形成する部分に隣接しない溝の部分を露光する際には、前記第１の集光スポットをスポット中心が前記溝の中心と一致するようにして基板へ照射し、ピットを形成する部分に隣接する一方及び他方の部分を露光する際には、前記第１及び第２の集光スポットを基板へ照射しないことを特徴とする光記録原盤の製造方法。
【請求項３７】
請求項９に記載の光記録媒体を作製するための光記録原盤を基板から製造する光記録原盤の製造方法であって、第１及び第２の集光スポットを用意し、ピットを形成しない互いに隣接する第１及び第２の溝の部分を露光する際には、前記第１の集光スポットをスポット中心が前記第１及び第２の溝の中心と一致するようにして基板へ照射し、ピットを形成する部分を露光する際には、前記第２の集光スポットをスポット中心が前記第１の溝の中心からトラックと直交する方向へトラックの幅の略１／２だけシフトするようにして基板へ照射し、前記第１の集光スポットをスポット中心が前記第１の溝の中心と一致するようにして基板へ照射し、かつ、前記第２の集光スポットをスポット中心が前記第２の溝の中心からトラックと直交する方向へトラックの幅の略１／２だけシフトするようにして基板へ照射することを特徴とする光記録原盤の製造方法。
【請求項３８】
請求項１１に記載の光記録媒体を作製するための光記録原盤を基板から製造する光記録原盤の製造方法であって、第１、第２及び第３の集光スポットを用意し、ピットを形成しない溝の部分を露光する際には、前記第１の集光スポットをスポット中心が前記溝の中心と一致するようにして基板へ照射し、ピットを形成する部分を露光する際には、前記第２の集光スポットをスポット中心が前記溝の中心からトラックと直交する方向へトラックの幅の略１／２だけシフトするようにして基板へ照射し、かつ、ピットを形成する部分に隣接しない溝の部分を露光する際には、前記第１の集光スポットをスポット中心が前記溝の中心と一致するようにして基板へ照射し、ピットを形成する部分に隣接する一方の部分を露光する際には、前記第１、第２及び第３の集光スポットを基板へ照射せず、ピットを形成する部分に隣接する他方の部分を露光する際には、前記第３の集光スポットをスポット中心が前記溝の中心からトラックと直交する方向へトラックの幅の略１／２だけシフトするようにして基板へ照射することを特徴とする光記録原盤の製造方法。
【発明の詳細な説明】
【０００１】
【発明の属する技術分野】
本発明は、光記録媒体、光学式情報再生装置及び光記録原盤の製造方法に関し、特に、記録トラックを構成するランドとグルーブのいずれにおいても良好なピット信号が得られ、かつ、光記録原盤を製造するのが容易なランド／グルーブ記録用の光記録媒体、その光記録媒体を用いた光学式情報再生装置、及びその光記録媒体を作製するための光記録原盤の製造方法に関する。
【０００２】
【従来の技術】
書き換え可能型の光学式情報再生装置における高密度化の一つの方法としてランド／グルーブ記録が知られている。ランド／グルーブ記録は、光記録媒体に形成された溝の部分（入射側から見て凸部）であるグルーブと隣接する溝に挟まれた部分（入射側から見て凹部）であるランドの双方に対して情報の記録や再生を行うものであり、例えばＤＶＤ−ＲＡＭにおいて実用化されている。
【０００３】
また、書き換え可能型の光記録媒体には、記録時に必要なアドレス情報を含むピットが予め形成されていることが求められる。例えばＤＶＤ−ＲＡＭにおいては、このようなピットとしてＣＡＰＡ（Ｃｏｍｐｌｉｍｅｎｔａｒｙ  Ａｌｌｏｃａｔｅｄ  Ｐｉｔ  Ａｄｄｒｅｓｓ）と呼ばれるものが用いられている。
【０００４】
ところで、書き換え可能型の光学式情報再生装置における高密度化の別の方法として、ＤＶＤ−ＲＯＭで実用化されているような光記録媒体の記録層の二層化が知られている。二層の記録層を有する光記録媒体を用いた光学式情報再生装置においては、記録や再生を行う一方の記録層からの反射光に他方の記録層からの反射光が迷光として混入すると、フォーカス／トラック誤差信号やＲＦ信号にオフセットが発生する。迷光の量が一定であればオフセットを電気的に補正することができるが、迷光の量が変動するとオフセットを電気的に補正することができず、記録や再生を正しく行うことができない。
【０００５】
ＤＶＤ−ＲＡＭにおいては、ＣＡＰＡの部分には溝が形成されていないため、ＣＡＰＡの部分と溝が形成された部分とでは巨視的に見た反射率が異なる。このような光記録媒体は、記録層を二層化した際にＣＡＰＡの部分からの迷光の量と溝が形成された部分からの迷光の量とが異なることになり、記録層の二層化に適していない。すなわち、ランド／グルーブ記録と光記録媒体の記録層の二層化を両立させるには、ピットの部分にも溝が形成されている必要がある。
【０００６】
ピットの部分にも溝が形成されており、かつ、ランド／グルーブ記録に用いられる従来の光記録媒体の第一の例として、特開平８−１０６６５２号公報に記載の光記録媒体がある。図３０にこの光記録媒体におけるピットの形状を示す。トラック１ｅ及び２ｅはそれぞれランド（Ｌ）及びグルーブ（Ｇ）に相当する。トラック１ｅ、２ｅの境界には、双方に共通なアドレス情報を有するピット４ｉが形成されている。ピット４ｉを形成した部分では、トラック１ｅとトラック２ｅとの境界が、ピットを形成しない部分におけるトラック１ｅの中心の延長線上までトラック１ｅ側へ突出している。また、隣接する二つのピット４ｉに挟まれた部分では、トラック１ｅとトラック２ｅとの境界が、ピットを形成しない部分における境界と一致している。
【０００７】
ピットの部分にも溝が形成されており、かつ、ランド／グルーブ記録に用いられる従来の光記録媒体の第二の例として、特開２００２−１１７５４７号公報に記載の光記録媒体がある。図３１にこの光記録媒体におけるピットの形状を示す。トラック１ｆ及び２ｆはそれぞれランド（Ｌ）及びグルーブ（Ｇ）に相当する。トラック１ｆ、２ｆの境界には、双方に共通なアドレス情報を有するピット４ｊが形成されている。ピット４ｊを形成した部分では、トラック１ｆとトラック２ｆとの境界が、ピットを形成しない部分におけるトラック１ｆの中心の延長線上までトラック１ｆ側へ突出している。また、隣接する二つのピット４ｊに挟まれた部分では、トラック１ｆとトラック２ｆとの境界が、ピットを形成しない部分におけるトラック２ｆの中心の延長線上までトラック２ｆ側へ突出している。
【０００８】
【特許文献１】
特開平８−１０６６５２号公報
【特許文献２】
特開２００２−１１７５４７号公報
【０００９】
【発明が解決しようとする課題】
図３０に示した従来の光記録媒体には、以下に述べるように、ランドにおいてはまずまず良好なピット信号が得られるが、グルーブにおいては良好なピット信号が得られないという課題がある。図３２に、この光記録媒体におけるピット信号の計算例を示す。この計算は、“Ｊ．Ｏｐｔｉｃａｌ  Ｓｏｃｉｅｔｙ  ｏｆＡｍｅｒｉｃａ、Ｖｏｌ．６９、Ｎｏ．１”（１９７９年１月発行）に記載された論文“Ｄｉｆｆｒａｃｔｉｏｎ  ｔｈｅｏｒｙ  ｏｆ  ｌａｓｅｒ  ｒｅａｄ−ｏｕｔ  ｓｙｓｔｅｍｓ  ｆｏｒ  ｏｐｔｉｃａｌ  ｖｉｄｅｏ  ｄｉｓｃｓ”（Ｈ．Ｈ．Ｈｏｐｋｉｎｓ）に示された方法に従って行った。設定した計算条件は、光源の波長４０５ｎｍ、対物レンズの開口数０．６５、トラックピッチ（ランド及びグルーブの幅）０．３４μｍ、溝及びピットの深さ４５ｎｍ、ピットの長さ０．３４７μｍである。同図の横軸はトラック方向の集光スポットの位置であり、ピット４ｉの中心が０に対応している。また、同図の縦軸はミラー部からの反射光のレベルで規格化した信号レベルである。同図にはランド及びグルーブのそれぞれに対し、和信号（ＳＵＭ）、ラジアルプッシュプル信号（ＲＰＰ）、タンジェンシャルプッシュプル信号（ＴＰＰ）の波形を示している。
【００１０】
和信号をピット信号として採用する場合、ランドにおける波形とグルーブにおける波形とが異なる。これは、ランドにおける周波数特性とグルーブにおける周波数特性とが異なることを意味し、ピットを再生する際に好ましくないため、ここでは議論の対象外とする。ラジアルプッシュプル信号をピット信号として採用する場合、ピット信号の振幅はランドでは０．１７４とまずまずであるが、グルーブでは０．１５９とやや小さい。また、タンジェンシャルプッシュプル信号をピット信号として採用する場合、ピット信号の振幅はランドでは０．３２８と良好であるが、グルーブでは０．０７０と非常に小さい。すなわち、ランドにおいてはまずまず良好なピット信号が得られるが、グルーブにおいては良好なピット信号が得られない。
【００１１】
図３１に示した従来の光記録媒体には、以下に述べるように、光記録媒体を作製するための光記録原盤を基板から製造するのが困難であるという課題がある。図３３に、この光記録媒体を作製するための光記録原盤の製造方法の様子を示す。光記録原盤露光装置において、二つの集光スポット３１ａ、３１ｂを用い、グルーブに相当する溝３０ｃ及びピットを露光により形成する。ピットを形成しない溝の部分を露光する際には、集光スポット３１ａ、３１ｂを一部が重なるようにして基板へ照射する。ピットを形成する部分を露光する際には、集光スポット３１ａ、３１ｂを重ならないようにして基板へ照射する。また、隣接する二つのピットに挟まれた部分及びピットの前後の部分を露光する際には、集光スポット３１ａのみを基板へ照射する。
【００１２】
しかし、図３２で設定した計算条件のように、高密度化のために光源の波長を短く、対物レンズの開口数を高くし、トラックピッチを例えば０．３４μｍと狭くした場合、隣接する二つのピットに挟まれた部分及びピットの前後の部分におけるトラックと直交する方向の幅はトラックピッチの半分しかないため、一般的な解像度を有する従来の光記録原盤露光装置でこれらの部分を露光するのは非常に難しい。すなわち、光記録媒体を作製するための光記録原盤を製造するのが困難である。
【００１３】
本発明の目的は、ランドとグルーブの双方に共通なアドレス情報を有するピットが形成されたランド／グルーブ記録用の従来の光記録媒体における上に述べた課題を解決し、ランドとグルーブのいずれにおいても良好なピット信号が得られ、かつ、光記録原盤を製造するのが容易なランド／グルーブ記録用の光記録媒体、その光記録媒体を用いた光学式情報再生装置、及びその光記録媒体を作製するための光記録原盤の製造方法を提供することにある。
【００１４】
【課題を解決するための手段】
本発明の光記録媒体は、記録トラックを構成するランドとグルーブとが交互に配設され、ランドとグルーブの双方に共通なアドレス情報を有するピットがトラック方向に間欠的に形成された光記録媒体において、ピットを形成した部分では、ランドに相当する第１のトラックとグルーブに相当する第２のトラックとの境界が、ピットを形成しない部分における前記第１のトラックと前記第２のトラックとの境界よりも前記第１のトラック側へ突出しており、かつ、前記第２のトラックを挟んで前記第１のトラックに対向するランドに相当する第３のトラックと前記第２のトラックとの境界が、ピットを形成しない部分における前記第３のトラックと前記第２のトラックとの境界よりも前記第２のトラック側へ突出していることを特徴とする。
【００１５】
本発明の光記録媒体においては、ラジアルプッシュプル信号をピット信号として採用する場合、ピット信号を得る対象となる対象トラックがランドとグルーブのいずれであっても、ピットを形成した部分における対象トラックと隣接トラックとの境界が、ピットを形成しない部分における対象トラックと隣接トラックとの境界よりも対象トラック側へ突出している。ラジアルプッシュプル信号は対象トラックと隣接トラックとの境界で大きくなるため、この境界が対象トラック側へ突出していることで、ランドとグルーブのいずれにおいても良好なピット信号が得られる。また、タンジェンシャルプッシュプル信号をピット信号として採用する場合、ピット信号を得る対象となる対象トラックがランドとグルーブのいずれであっても、ピットを形成した部分におけるピットの前後のエッジの部分が、ピットを形成しない部分における対象トラックと隣接トラックとの境界よりも対象トラック側へ突出している。タンジェンシャルプッシュプル信号はピットの前後のエッジの部分で大きくなるため、この部分が対象トラック側へ突出していることで、ランドとグルーブのいずれにおいても良好なピット信号が得られる。
【００１６】
本発明の光記録媒体では、前記ピットを形成した部分では、前記第１のトラックと前記第２のトラックとの境界が、前記ピットを形成しない部分における前記第１のトラックの中心の延長線上まで突出しており、かつ、前記第３のトラックと前記第２のトラックとの境界が、前記ピットを形成しない部分における前記第２のトラックの中心の延長線上まで突出していることが好ましい。
【００１７】
あるいは、上記に代えて、前記ピットを形成した部分では、前記第１のトラックと前記第２のトラックとの境界が、前記ピットを形成しない部分における前記第１のトラックの中心の延長線上まで突出しており、かつ、前記第３のトラックと前記第２のトラックとの境界が、前記ピットを形成しない部分における前記第２のトラックの中心の延長線上までよりも少なく突出していることが好ましい。
【００１８】
本発明の光記録媒体では、前記第１のトラックを挟んで前記第２のトラックに対向するグルーブに相当するトラックを第４のトラック、該第４のトラックを挟んで前記第１のトラックに対向するランドに相当するトラックを第５のトラックとするとき、前記ピットを形成した部分に隣接する部分では、前記第５のトラックと前記第４のトラックとの境界が、前記ピットを形成した部分に隣接しない部分における前記第５のトラックと前記第４のトラックとの境界よりも前記第５のトラック側へ突出しており、かつ、前記第１のトラックと前記第４のトラックとの境界が、前記ピットを形成した部分に隣接しない部分における前記第１のトラックと前記第４のトラックとの境界よりも前記第４のトラック側へ突出している態様を採用することができる。
【００１９】
この場合、前記ピットを形成した部分に隣接する部分では、前記第５のトラックと前記第４のトラックとの境界が、前記ピットを形成した部分に隣接しない部分における前記第５のトラックの中心の延長線上まで突出しており、かつ、前記第１のトラックと前記第４のトラックとの境界が、前記ピットを形成した部分に隣接しない部分における前記第４のトラックの中心の延長線上まで突出していることが好ましい。
【００２０】
あるいは、上記に代えて、前記第１のトラックを挟んで前記第２のトラックに対向するグルーブに相当するトラックを第４のトラックとするとき、前記ピットを形成した部分に隣接する部分では、前記第４のトラックを構成するグルーブが分断されている態様を採用することができる。
【００２１】
この場合、さらに、前記第３のトラックを挟んで前記第２のトラックに対向するグルーブに相当するトラックを第５のトラックとするとき、前記ピットを形成した部分に隣接する部分では、前記第５のトラックを構成するグルーブが分断されている態様を採用することができる。
【００２２】
あるいは、さらに、前記第３のトラックを挟んで前記第２のトラックに対向するグルーブに相当するトラックを第５のトラック、該第５のトラックを挟んで前記第３のトラックに対向するランドに相当するトラックを第６のトラックとするとき、前記ピットを形成した部分に隣接する部分では、前記第６のトラックと前記第５のトラックとの境界が、前記ピットを形成した部分に隣接しない部分における前記第６のトラックと前記第５のトラックとの境界よりも前記第６のトラック側へ突出しており、かつ、前記第３のトラックと前記第５のトラックとの境界が、前記ピットを形成した部分に隣接しない部分における前記第３のトラックと前記第５のトラックとの境界よりも前記第５のトラック側へ突出している態様を採用することができる。
【００２３】
この場合、前記ピットを形成した部分に隣接する部分では、前記第６のトラックと前記第５のトラックとの境界が、前記ピットを形成した部分に隣接しない部分における前記第６のトラックの中心の延長線上まで突出しており、かつ、前記第３のトラックと前記第５のトラックとの境界が、前記ピットを形成した部分に隣接しない部分における前記第５のトラックの中心の延長線上まで突出していることが好ましい。
【００２４】
本発明の別の光記録媒体は、記録トラックを構成するランドとグルーブとが交互に配設され、ランドとグルーブの双方に共通なアドレス情報を有するピットがトラック方向に間欠的に形成された光記録媒体において、ピットを形成した部分では、ランドに相当する第１のトラックとグルーブに相当する第２のトラックとの境界が、ピットを形成しない部分における前記第１のトラックと前記第２のトラックとの境界よりも前記第２のトラック側へ突出しており、かつ、前記第２のトラックを挟んで前記第１のトラックに対向するランドに相当する第３のトラックと前記第２のトラックとの境界が、ピットを形成しない部分における前記第３のトラックと前記第２のトラックとの境界よりも前記第３のトラック側へ突出しており、かつ、前記第１のトラックと該第１のトラックを挟んで前記第２のトラックに対向するグルーブに相当する第４のトラックとの境界が、ピットを形成しない部分における前記第１のトラックと前記第４のトラックとの境界よりも前記第１のトラック側へ突出していることを特徴とする。
【００２５】
本発明の別の光記録媒体では、前記ピットを形成した部分では、前記第１のトラックと前記第２のトラックとの境界が、前記ピットを形成しない部分における前記第２のトラックの中心の延長線上まで突出しており、かつ、前記第３のトラックと前記第２のトラックとの境界が、前記ピットを形成しない部分における前記第３のトラックの中心の延長線上まで突出しており、かつ、前記第１のトラックと前記第４のトラックとの境界が、前記ピットを形成しない部分における前記第１のトラックの中心の延長線上まで突出していることが好ましい。
【００２６】
本発明の光記録媒体では、前記ピットを形成した部分では、隣接する２つのトラックの境界は実質的に直線状である。あるいは、前記ピットを形成した部分では、隣接する２つのトラックの境界は少なくともピットのエッジの部分で曲線状である。
【００２７】
本発明の光記録媒体では、前記ピットを形成した部分に隣接する部分では、隣接する２つのトラックの境界は実質的に直線状であるか、または、トラックを構成するグルーブが実質的に直線状に分断されている態様を採用することができる。あるいは、前記ピットを形成した部分に隣接する部分では、隣接する２つのトラックの境界は少なくともピットの前後のエッジに隣接する部分で曲線状であるか、または、トラックを構成するグルーブが曲線状に分断されている態様を採用することができる。
【００２８】
本発明の光記録媒体では、一つのアドレス情報が複数のピットにより構成され、該複数のピットはトラック方向の一箇所に集中して形成されている態様を採用することができる。この場合、前記複数のピットのうち、いずれかのピットの長さ及び隣接するピット間の長さを変調することにより前記一つのアドレス情報が構成されることが好ましい。
【００２９】
あるいは、上記に代えて、一つのアドレス情報が複数のピットにより構成され、該複数のピットはトラック方向の複数箇所に分散して形成されている態様を採用することができる。この場合、前記複数のピットのうち、いずれかのピットの有無またはピットの位置を変調することにより前記一つのアドレス情報が構成されることが好ましい。
【００３０】
本発明の光学式情報再生装置は、光源と、該光源からの出射光を前記本発明の光記録媒体へ導く光学系と、光検出器と、前記光記録媒体からの反射光を前記光検出器へ導く光学系と、前記光検出器で受光された光からアドレス情報及び記録データを再生する回路系とを有することを特徴とする。
【００３１】
本発明の光学式情報再生装置においては、上記の本発明の光記録媒体からピット信号を得るため、良好なピット信号に基づく良好なアドレス情報及び記録データの再生が可能である。
【００３２】
本発明の光学式情報再生装置では、前記光検出器が複数の受光部を備え、該複数の受光部で受光された光から演算によって求めたラジアルプッシュプル信号またはタンジェンシャルプッシュプル信号に基づいて前記アドレス情報を再生し、かつ、前記複数の受光部で受光された光から演算によって求めた和信号に基づいて前記記録データを再生することが好ましい。ラジアルプッシュプル信号とタンジェンシャルプッシュプル信号のいずれをピット信号として採用する場合でも、ランドとグルーブのいずれにおいても良好なピット信号が得られる。この場合、前記回路系は、ランドとグルーブとで入力信号に対する出力信号の極性を互いに反転させることが好ましい。ラジアルプッシュプル信号及びタンジェンシャルプッシュプル信号の極性は、ランドとグルーブとで互いに反転しているためである。
【００３３】
本発明の光記録原盤の製造方法は、本発明の光記録媒体を作製するための光記録原盤を基板から製造する光記録原盤の製造方法であって、ピットを形成しない溝の部分を露光する際には、スポット中心が前記溝の中心と一致した第１の集光スポットを基板へ照射し、ピットを形成する部分を露光する際には、スポット中心が前記溝の中心と一致しているか前記溝の中心からトラックと直交する方向へシフトした前記第１の集光スポット、及び／または、スポット中心が前記溝の中心からトラックと直交する方向へシフトした第２の集光スポットを基板へ照射することを特徴とする。
【００３４】
上記の本発明の光記録媒体においては、ピットを形成する部分におけるトラックと直交する方向の幅、及び隣接する二つのピットに挟まれた部分におけるトラックと直交する方向の幅は、いずれもトラックピッチ以上であり十分に広い。従って、本発明の光記録原盤の製造方法においては、高密度化のために光源の波長を短く、対物レンズの開口数を高くし、トラックピッチを狭くした場合でも、一般的な解像度を有する従来の光記録原盤露光装置でこれらの部分を露光するのは易しい。すなわち、光記録媒体を作製するための光記録原盤を製造するのが容易である。
【００３５】
本発明の光記録原盤の製造方法では、ピットを形成しない溝の部分を露光する際には、第１の集光スポットをスポット中心が前記溝の中心と一致するようにして基板へ照射し、ピットを形成する部分を露光する際には、前記第１の集光スポット、第２の集光スポット、または前記第１の集光スポットと前記第２の集光スポットの両方を、スポット中心が前記溝の中心からトラックと直交する方向へシフトするようにして基板へ照射することが好ましい。
【００３６】
あるいは、上記に代えて、ピットを形成しない溝の部分を露光する際には、第１の集光スポットをスポット中心が前記溝の中心と一致するようにして基板へ照射し、ピットを形成する部分を露光する際には、前記第１の集光スポットをスポット中心が前記溝の中心と一致するようにして基板へ照射するか基板へ照射せず、第２の集光スポットをスポット中心が前記溝の中心からトラックと直交する方向へシフトするようにして基板へ照射することが好ましい。
【００３７】
本発明の光記録原盤の製造方法では、ピットを形成する部分に隣接する部分を露光する際には、前記第２の集光スポット、または第３の集光スポットを、スポット中心が前記溝の中心からトラックと直交する方向へシフトするようにして基板へ照射するか、あるいは、集光スポットを基板へ照射しない態様を採用することができる。
【００３８】
【発明の実施の形態】
以下に図面を参照し、本発明を実施の形態に基づいてさらに詳細に説明する。
【００３９】
図１に、本発明の第一の実施の形態に係る光記録媒体におけるピットの形状を示す。トラック１ａ及び２ａはそれぞれランド（Ｌ）及びグルーブ（Ｇ）に相当する。トラック１ａ、２ａの境界には、双方に共通なアドレス情報を有するピット４ａが形成されている。ピット４ａを形成した部分では、トラック１ａとトラック２ａとの境界が、ピットを形成しない部分におけるトラック１ａの中心の延長線上までトラック１ａ側へ突出しており、かつ、トラック２ａを挟んでトラック１ａに対向するトラック３ａとトラック２ａとの境界が、ピットを形成しない部分におけるトラック２ａの中心の延長線上までトラック２ａ側へ突出している。また、隣接する二つのピット４ａに挟まれた部分では、トラック１ａとトラック２ａとの境界が、ピットを形成しない部分における境界と一致しており、トラック３ａとトラック２ａとの境界が、ピットを形成しない部分における境界と一致している。
【００４０】
図２に、本発明の第一の実施の形態に係る光記録媒体におけるピット信号の計算例を示す。設定した計算条件は、光源の波長４０５ｎｍ、対物レンズの開口数０．６５、トラックピッチ（ランド及びグルーブの幅）０．３４μｍ、溝及びピットの深さ４５ｎｍ、ピットの長さ０．３４７μｍである。同図の横軸はトラック方向の集光スポットの位置であり、ピット４ａの中心が０に対応している。また、同図の縦軸はミラー部からの反射光のレベルで規格化した信号レベルである。同図にはランド及びグルーブのそれぞれに対し、和信号（ＳＵＭ）、ラジアルプッシュプル信号（ＲＰＰ）、タンジェンシャルプッシュプル信号（ＴＰＰ）の波形を示している。
【００４１】
和信号をピット信号として採用する場合、ランドにおける波形とグルーブにおける波形とが異なる。これは、ランドにおける周波数特性とグルーブにおける周波数特性とが異なることを意味し、ピットを再生する際に好ましくないため、ここでは議論の対象外とする。ラジアルプッシュプル信号をピット信号として採用する場合、ピット信号の振幅はランドでは０．１９０と良好であり、グルーブでは０．３２８とさらに大きい。また、タンジェンシャルプッシュプル信号をピット信号として採用する場合、ピット信号の振幅はランドでは０．３２４と良好であり、グルーブでも０．２５８と良好である。すなわち、ランドとグルーブのいずれにおいても良好なピット信号が得られる。
【００４２】
タンジェンシャルプッシュプル信号は記録マークからも得られるが、ラジアルプッシュプル信号は記録マークからは得られない。従って、ラジアルプッシュプル信号をピット信号として採用すれば、ピットからのアドレス情報と記録マークからの記録データとを容易に区別することができる。一方、タンジェンシャルプッシュプル信号をピット信号として採用すれば、ランドとグルーブとを平均したピット信号の振幅はより大きくなる。
【００４３】
ラジアルプッシュプル信号をピット信号として採用した場合、ピットを形成した部分における対象トラックと隣接トラックとの境界が、ピットを形成しない部分における対象トラックと隣接トラックとの境界よりも対象トラック側へ突出していると大きな振幅のピット信号が得られる。本発明の第一の実施の形態に係る光記録媒体においては、対象トラックがトラック１ａとトラック２ａのいずれの場合にもこの条件が満たされるため、ランドとグルーブのいずれにおいても良好なピット信号が得られる。
【００４４】
また、タンジェンシャルプッシュプル信号をピット信号として採用した場合、ピットを形成した部分におけるピットの前後のエッジの部分が、ピットを形成しない部分における対象トラックと隣接トラックとの境界よりも対象トラック側へ突出していると大きな振幅のピット信号が得られる。本発明の第一の実施の形態に係る光記録媒体においては、対象トラックがトラック１ａとトラック２ａのいずれの場合にもこの条件が満たされるため、ランドとグルーブのいずれにおいても良好なピット信号が得られる。
【００４５】
図３に、本発明の第二の実施の形態に係る光記録媒体におけるピットの形状を示す。トラック１ｂ及び２ｂはそれぞれランド（Ｌ）及びグルーブ（Ｇ）に相当する。トラック１ｂ、２ｂの境界には、双方に共通なアドレス情報を有するピット４ｂが形成されている。ピット４ｂを形成した部分では、トラック１ｂとトラック２ｂとの境界が、ピットを形成しない部分におけるトラック１ｂの中心の延長線上までトラック１ｂ側へ突出しており、かつ、トラック２ｂを挟んでトラック１ｂに対向するトラック３ｂとトラック２ｂとの境界が、ピットを形成しない部分における境界とトラック２ｂの中心との中間の延長線上までトラック２ｂ側へ突出している。また、隣接する二つのピット４ｂに挟まれた部分では、トラック１ｂとトラック２ｂとの境界が、ピットを形成しない部分における境界と一致しており、トラック３ｂとトラック２ｂとの境界が、ピットを形成しない部分における境界と一致している。
【００４６】
本発明の第二の実施の形態に係る光記録媒体におけるピットの形状は、図３０に示した従来の光記録媒体におけるピットの形状と、本発明の第一の実施の形態に係る光記録媒体におけるピットの形状との中間的な形状である。従って、本発明の第二の実施の形態に係る光記録媒体におけるピット信号の特性は、図３０に示した従来の光記録媒体におけるピット信号の特性と、本発明の第一の実施の形態に係る光記録媒体におけるピット信号の特性との中間的な特性である。
【００４７】
ラジアルプッシュプル信号をピット信号として採用する場合、図３２に示した従来の光記録媒体におけるピット信号の計算例では、グルーブでのピット信号の振幅は小さいが、ランドとグルーブでのピット信号の振幅の比は１：０．９１４であり、ランドとグルーブのバランスは良好である。図２に示した本発明の第一の実施の形態に係る光記録媒体におけるピット信号の計算例では、グルーブでのピット信号の振幅は大きいが、ランドとグルーブでのピット信号の振幅の比は１：１．７２６であり、ランドとグルーブのバランスはあまり良好ではない。これに対し、本発明の第二の実施の形態に係る光記録媒体においては、グルーブでのピット信号の振幅はまずまず大きく、ランドとグルーブでのピット信号の振幅の比はほぼ１：１に近く、ランドとグルーブのバランスもまずまず良好である。
【００４８】
図４に、本発明の第三の実施の形態に係る光記録媒体におけるピットの形状を示す。トラック１ｃ及び２ｃはそれぞれランド（Ｌ）及びグルーブ（Ｇ）に相当する。トラック１ｃ、２ｃの境界にはピット４ｃが形成されている。本発明の第三の実施の形態に係る光記録媒体におけるピット４ｃは、本発明の第一の実施の形態に係る光記録媒体におけるピット４ａと類似の形状をしているが、ピット４ａは前後のエッジの部分が直線状であるのに対し、ピット４ｃは前後のエッジの部分が曲線状である。それ以外の部分に関しては、ピット４ａとピット４ｃの形状は基本的に同じである。実際に光記録媒体を作製するための光記録原盤を製造する際には、露光に用いる集光スポットの大きさの制限により、ピットの前後のエッジの部分は完全な直線状ではなくある程度は曲線状になる。このようなピットを有する光記録媒体も本発明に含まれる。
【００４９】
図５に、本発明の第四の実施の形態に係る光記録媒体におけるピットの形状を示す。トラック１ｄ及び２ｄはそれぞれランド（Ｌ）及びグルーブ（Ｇ）に相当する。トラック１ｄ、２ｄの境界にはピット４ｄが形成されている。本発明の第四の実施の形態に係る光記録媒体におけるピット４ｄは、本発明の第二の実施の形態に係る光記録媒体におけるピット４ｂと類似の形状をしているが、ピット４ｂは前後のエッジの部分が直線状であるのに対し、ピット４ｄは前後のエッジの部分が曲線状である。それ以外の部分に関しては、ピット４ｂとピット４ｄの形状は基本的に同じである。実際に光記録媒体を作製するための光記録原盤を製造する際には、露光に用いる集光スポットの大きさの制限により、ピットの前後のエッジの部分は完全な直線状ではなくある程度は曲線状になる。このようなピットを有する光記録媒体も本発明に含まれる。
【００５０】
本発明の光記録媒体においては、一つのアドレス情報は複数のピットにより構成されることが好ましい。これらの複数のピットは、光記録媒体のトラック方向の一箇所に集中して形成されていても良く、光記録媒体のトラック方向の複数箇所に分散して形成されていても良い。図１〜図４には、複数のピットが光記録媒体のトラック方向の一箇所に集中して形成されている例を示している。図１〜図４においては、複数のピットの長さ及び複数の隣接するピット間の長さは全て等しいが、実際にはこれらの長さはアドレス毎に異なっている。すなわち、複数のピットのうち、いずれかのピットの長さ及び隣接するピット間の長さを変調することにより一つのアドレス情報が構成される。
【００５１】
これに対し、図６〜図７には、複数のピットが光記録媒体のトラック方向の複数箇所に分散して形成されている例を示しており、各図の（ａ）及び（ｂ）には、その複数箇所のうちの一箇所を示している。図６の例では、（ａ）においてはトラック１ａ、２ａの境界にピット４ａが形成されており、（ｂ）においてはトラック１ａ、２ａの境界にピット４ａが形成されていない。実際にはピットが形成されているかいないかはアドレス毎に異なっている。すなわち、複数のピットのうち、いずれかのピットの有無を変調することにより一つのアドレス情報が構成される。また、図７の例では、（ａ）においてはトラック１ａ、２ａの境界の左寄りの位置にピット４ａが形成されており、（ｂ）においてはトラック１ａ、２ａの境界の右寄りの位置にピット４ａが形成されている。実際にはピットが左寄りの位置に形成されているか右寄りの位置に形成されているかはアドレス毎に異なっている。すなわち、複数のピットのうち、いずれかのピットの位置を変調することにより一つのアドレス情報が構成される。
【００５２】
図８に、本発明の実施の形態に係る光学式情報再生装置を示す。この光学式情報再生装置は、情報の再生のみを行う再生専用装置でも良く、情報の記録及び再生を行う記録再生装置でも良い。半導体レーザ５からの出射光はコリメータレンズ６で平行光化され、偏光ビームスプリッタ７にＰ偏光として入射してほぼ完全に透過し、１／４波長板８を透過して直線偏光から円偏光に変換され、対物レンズ９によりディスク１０上へ集光される。ディスク１０は、本発明の第一〜第四の実施の形態に係る光記録媒体のいずれかである。ディスク１０からの反射光は対物レンズ９を逆向きに透過し、１／４波長板８を透過して円偏光から往路と偏光方向が直交した直線偏光に変換され、偏光ビームスプリッタ７にＳ偏光として入射してほぼ完全に反射され、円筒レンズ１１、レンズ１２を透過して光検出器１３で受光される。光検出器１３は円筒レンズ１１、レンズ１２の二つの焦線の中間に設置されている。
【００５３】
光検出器１３で受光された光は、光電変換されて電流信号となりプリアンプ１４へ送られる。プリアンプ１４へ送られた電流信号は、プリアンプ１４で電流−電圧変換及び増幅されてアナログ電圧信号となり信号処理回路１５へ送られる。信号処理回路１５へ送られたアナログ電圧信号は、信号処理回路１５で波形等化及び２値化されてディジタル電圧信号となり復調回路１６へ送られる。復調回路１６へ送られたディジタル電圧信号は、復調回路１６で復調されてアドレス情報及び記録データが再生される。
【００５４】
図２に示したように、ラジアルプッシュプル信号及びタンジェンシャルプッシュプル信号の極性は、ランドとグルーブとで互いに反転している。このため、信号処理回路１５には、入力信号であるアナログ電圧信号に対する出力信号であるディジタル電圧信号の極性を、ランドとグルーブとで互いに反転させるための極性切換回路が内蔵されている。
【００５５】
図９に光検出器１３の構成を示す。光検出器１３は、ディスク１０の半径方向に平行な分割線及び接線方向に平行な分割線で４分割された受光部１７ａ〜１７ｄを有する。ディスク１０からの反射光は、光検出器１３の受光部１７ａ〜１７ｄ上に光スポット１８を形成する。受光部１７ａ〜１７ｄからの出力をそれぞれＶ１７ａ〜Ｖ１７ｄで表わすと、和信号はＶ１７ａ＋Ｖ１７ｂ＋Ｖ１７ｃ＋Ｖ１７ｄの演算から得られ、ラジアルプッシュプル信号は（Ｖ１７ａ＋Ｖ１７ｂ）−（Ｖ１７ｃ＋Ｖ１７ｄ）の演算から得られ、タンジェンシャルプッシュプル信号は（Ｖ１７ａ＋Ｖ１７ｃ）−（Ｖ１７ｂ＋Ｖ１７ｄ）の演算から得られる。アドレス情報の再生にはラジアルプッシュプル信号またはタンジェンシャルプッシュプル信号が用いられ、記録データの再生には和信号が用いられる。
【００５６】
図１０に、本発明の第一及び第二の実施の形態に係る光記録媒体を作製するための光記録原盤の製造に用いる光記録原盤露光装置の構成を示す。レーザ１９（例えば波長３５１ｎｍのクリプトンレーザ）からの出射光は電気光学変調器２０により雑音が除去され、ハーフミラー２１ａにより透過光と反射光とに分けられる。ハーフミラー２１ａの透過光は音響光学変調／偏向器２３ａへ入射する。一方、ハーフミラー２１ａの反射光はミラー２２で反射され、音響光学変調／偏向器２３ｂへ入射する。音響光学変調／偏向器２３ａ、２３ｂには音響光学素子が内蔵されており、この音響光学素子に高周波電圧を印加すると、素子中に回折格子が形成される。高周波電圧の振幅を変化させると回折格子における回折効率が変化し、入射光に対する出射光の強度が変化する。また、高周波電圧の周波数を変化させると回折格子における回折角が変化し、入射光に対する出射光の向きが変化する。
【００５７】
フォーマッタ２９は、音響光学変調／偏向器２３ａ、２３ｂに内蔵された音響光学素子に印加される高周波電圧の振幅、周波数を制御することにより、音響光学変調／偏向器２３ａ、２３ｂからの出射光の強度、向きを制御する。音響光学変調／偏向器２３ａからの出射光はハーフミラー２５ａを透過する。一方、音響光学変調／偏向器２３ｂからの出射光はミラー２４で反射され、ハーフミラー２５ａで反射される。ハーフミラー２５ａの透過光及び反射光はミラー２６で反射され、対物レンズ２７により光記録原盤の元になる基板２８上へ集光される。
【００５８】
図１１（ａ）及び（ｂ）に、本発明の第一及び第二の実施の形態に係る光記録原盤の製造方法の様子をそれぞれ示す。これらの実施の形態は、本発明の第一の実施の形態に係る光記録媒体を作製するための光記録原盤を基板から製造するものである。図１０に示した光記録原盤露光装置により形成される二つの集光スポットのうち、音響光学変調／偏向器２３ａ及び２３ｂで変調／偏向された光をそれぞれ集光スポット３１ａ及び３１ｂとする。
【００５９】
図１１（ａ）に示す実施の形態においては、一つの集光スポット３１ａを用い、グルーブに相当する溝３０ａ及びピットを露光により形成する。ピットを形成しない溝の部分を露光する際には、集光スポット３１ａをスポット中心が溝３０ａの中心と一致するようにして基板へ照射する。また、ピットを形成する部分を露光する際には、集光スポット３１ａをスポット中心が溝３０ａの中心から溝３０ａと直交する方向へ溝３０ａの幅の半分だけシフトするようにして基板へ照射する。本実施の形態は、露光に用いる集光スポットが一つで良いという利点を有する。
【００６０】
図１１（ｂ）に示す実施の形態においては、二つの集光スポット３１ａ、３１ｂを用い、グルーブに相当する溝３０ａ及びピットを露光により形成する。ピットを形成しない溝の部分を露光する際には、集光スポット３１ａをスポット中心が溝３０ａの中心と一致するようにして基板へ照射し、集光スポット３１ｂは基板へ照射しない。また、ピットを形成する部分を露光する際には、集光スポット３１ｂをスポット中心が溝３０ａの中心から溝３０ａと直交する方向へ溝３０ａの幅の半分だけシフトするようにして基板へ照射し、集光スポット３１ａは基板へ照射しない。本実施の形態は、露光に用いる二つの集光スポットを、ピットを形成しない溝の部分とピットを形成する部分との間でシフトさせる必要がないという利点を有する。
【００６１】
図１２（ａ）及び（ｂ）に、本発明の第三及び第四の実施の形態に係る光記録原盤の製造方法の様子をそれぞれ示す。これらの実施の形態は、本発明の第二の実施の形態に係る光記録媒体を作製するための光記録原盤を基板から製造するものである。図１０に示した光記録原盤露光装置により形成される二つの集光スポットのうち、音響光学変調／偏向器２３ａ及び２３ｂで変調／偏向された光をそれぞれ集光スポット３１ａ及び３１ｂとする。
【００６２】
図１２（ａ）に示す実施の形態においては、一つの集光スポット３１ａを用い、グルーブに相当する溝３０ｂ及びピットを露光により形成する。ピットを形成しない溝の部分を露光する際には、集光スポット３１ａをスポット中心が溝３０ｂの中心と一致するようにして基板へ照射する。また、ピットを形成する部分を露光する際には、集光スポット３１ａをスポット中心が溝３０ｂの中心から溝３０ｂと直交する方向へ溝３０ｂの幅の１／４〜半分だけシフトするようにし、かつピットを形成しない溝の部分を露光する際より強度を強くして基板へ照射する。本実施の形態は、露光に用いる集光スポットが一つで良いという利点を有する。
【００６３】
図１２（ｂ）に示す実施の形態においては、二つの集光スポット３１ａ、３１ｂを用い、グルーブに相当する溝３０ｂ及びピットを露光により形成する。ピットを形成しない溝の部分を露光する際には、集光スポット３１ａをスポット中心が溝３０ｂの中心と一致するようにして基板へ照射し、集光スポット３１ｂは基板へ照射しない。また、ピットを形成する部分を露光する際には、集光スポット３１ｂをスポット中心が溝３０ｂの中心から溝３０ｂと直交する方向へ溝３０ｂの幅の半分だけシフトするようにして基板へ照射し、集光スポット３１ａをスポット中心が溝３０ｂの中心から溝３０ｂと直交する方向へ溝３０ｂの幅の半分以下だけシフトするようにして基板へ照射する。本実施の形態は、露光に用いる二つの集光スポットの強度を、基板へ照射しない状態を除いて変化させる必要がないという利点を有する。
【００６４】
本発明の第一及び第二の実施の形態に係る光記録媒体においては、ピットを形成する部分におけるトラックと直交する方向の幅、及び隣接する二つのピットに挟まれた部分におけるトラックと直交する方向の幅は、いずれもトラックピッチ以上であり十分に広い。従って、図２で設定した計算条件のように、高密度化のために光源の波長を短く、対物レンズの開口数を高くし、トラックピッチを例えば０．３４μｍと狭くした場合でも、一般的な解像度を有する従来の光記録原盤露光装置でこれらの部分を露光するのは易しい。すなわち、光記録媒体を作製するための光記録原盤を製造するのが容易である。
【００６５】
次に、光記録媒体の半径方向の傾き（ラジアルチルト）に対するピット信号の変化について考察する。
【００６６】
図１３に、本発明の第一の実施の形態に係る光記録媒体における、光記録媒体のラジアルチルトとピット信号との関係の計算例を示す。設定した計算条件は図２と同じである。同図の横軸は光記録媒体のラジアルチルトであり、縦軸はラジアルプッシュプル信号をピット信号として採用した場合のピット信号のレベルである。同図のＬ０、Ｇ０、Ｌ−１は、それぞれ図１のトラック１ａ、２ａ、３ａにおけるピット信号を表わしている。同図からわかるように、ラジアルチルトが０°の場合、ランドに相当するトラック１ａにおけるピット信号の振幅（レベルの絶対値）は、グルーブに相当するトラック２ａにおけるピット信号の振幅に比べて半分程度と小さい。ラジアルチルトが負の場合、トラック１ａにおけるピット信号の振幅はさらに小さくなる。一方、ランドに相当するトラック３ａにおいても、トラック１ａと同符号で同等の振幅を有するピット信号が得られる。この信号は、トラック３ａにおける真のピット信号に対する偽のピット信号となる。ラジアルチルトが負の場合、真のピット信号の振幅は偽のピット信号の振幅より小さくなる。
【００６７】
以下に示す本発明の第五〜第九の実施の形態に係る光記録媒体によれば、このような光記録媒体のラジアルチルトに伴うピット信号の振幅の低下を抑制することができる。
【００６８】
図１４に、本発明の第五の実施の形態に係る光記録媒体におけるピットの形状を示す。トラック１ａ及び２ａはそれぞれランド（Ｌ）及びグルーブ（Ｇ）に相当する。トラック１ａ、２ａの境界には、双方に共通なアドレス情報を有するピット４ａが形成されている。ピット４ａを形成した部分では、トラック１ａとトラック２ａとの境界が、ピットを形成しない部分におけるトラック１ａの中心の延長線上までトラック１ａ側へ突出しており、かつ、トラック２ａを挟んでトラック１ａに対向するトラック３ａとトラック２ａとの境界が、ピットを形成しない部分におけるトラック２ａの中心の延長線上までトラック２ａ側へ突出している。また、隣接する二つのピット４ａに挟まれた部分では、トラック１ａとトラック２ａとの境界が、ピットを形成しない部分における境界と一致しており、トラック３ａとトラック２ａとの境界が、ピットを形成しない部分における境界と一致している。
【００６９】
さらに、トラック１ａを挟んでトラック２ａと対向するトラックをトラック３２ａ、トラック３２ａを挟んでトラック１ａと対向するトラックをトラック３３ａとする。このとき、トラック３３ａ、３２ａの境界には、ピット４ａに隣接する位置にピット４ｅが形成されている。ピット４ｅを形成した部分では、トラック３３ａとトラック３２ａとの境界が、ピットを形成しない部分におけるトラック３３ａの中心の延長線上までトラック３３ａ側へ突出しており、かつ、トラック１ａとトラック３２ａとの境界が、ピットを形成しない部分におけるトラック３２ａの中心の延長線上までトラック３２ａ側へ突出している。
【００７０】
本発明の第五の実施の形態に係る光記録媒体によれば、本発明の第一の実施の形態に係る光記録媒体について説明したのと同じ理由により、ランドとグルーブのいずれにおいても良好なピット信号が得られる。
【００７１】
図１５に、本発明の第五の実施の形態に係る光記録媒体における、光記録媒体のラジアルチルトとピット信号との関係の計算例を示す。設定した計算条件は図２と同じである。同図の横軸は光記録媒体のラジアルチルトであり、縦軸はラジアルプッシュプル信号をピット信号として採用した場合のピット信号のレベルである。同図のＬ＋１、Ｇ＋１、Ｌ０、Ｇ０、Ｌ−１は、それぞれ図１４のトラック３３ａ、３２ａ、１ａ、２ａ、３ａにおけるピット信号を表わしている。同図からわかるように、ラジアルチルトが０°の場合、ランドに相当するトラック１ａにおけるピット信号の振幅（レベルの絶対値）は、グルーブに相当するトラック２ａにおけるピット信号の振幅と同等で大きい。ラジアルチルトがある場合でも、トラック１ａにおけるピット信号の振幅はあまり小さくならない。一方、ランドに相当するトラック３３ａ、３ａにおいても、トラック１ａと同符号のピット信号が得られるが、その振幅はトラック１ａにおけるピット信号の振幅の半分程度と小さい。但し、グルーブに相当するトラック３２ａにおいては、トラック２ａと同符号で同等の振幅を有するピット信号が得られる。この信号は、トラック３２ａにおける真のピット信号に対する偽のピット信号となる。ラジアルチルトが正の場合、真のピット信号の振幅は偽のピット信号の振幅より小さくなる。
【００７２】
図１６に、本発明の第六の実施の形態に係る光記録媒体におけるピットの形状を示す。トラック１ａ及び２ａはそれぞれランド（Ｌ）及びグルーブ（Ｇ）に相当する。トラック１ａ、２ａの境界には、双方に共通なアドレス情報を有するピット４ａが形成されている。ピット４ａを形成した部分では、トラック１ａとトラック２ａとの境界が、ピットを形成しない部分におけるトラック１ａの中心の延長線上までトラック１ａ側へ突出しており、かつ、トラック２ａを挟んでトラック１ａに対向するトラック３ａとトラック２ａとの境界が、ピットを形成しない部分におけるトラック２ａの中心の延長線上までトラック２ａ側へ突出している。また、隣接する二つのピット４ａに挟まれた部分では、トラック１ａとトラック２ａとの境界が、ピットを形成しない部分における境界と一致しており、トラック３ａとトラック２ａとの境界が、ピットを形成しない部分における境界と一致している。
【００７３】
さらに、トラック１ａを挟んでトラック２ａと対向するトラックをトラック３２ｂ、トラック３２ｂを挟んでトラック１ａと対向するトラックをトラック３３ｂとする。このとき、トラック３２ｂには、ピット４ａに隣接する位置にカット３４ａが形成されている。カット３４ａを形成した部分では、トラック３２ｂを構成するグルーブが分断されている。
【００７４】
本発明の第六の実施の形態に係る光記録媒体によれば、本発明の第一の実施の形態に係る光記録媒体について説明したのと同じ理由により、ランドとグルーブのいずれにおいても良好なピット信号が得られる。
【００７５】
図１７に、本発明の第六の実施の形態に係る光記録媒体における、光記録媒体のラジアルチルトとピット信号との関係の計算例を示す。設定した計算条件は図２と同じである。同図の横軸は光記録媒体のラジアルチルトであり、縦軸はラジアルプッシュプル信号をピット信号として採用した場合のピット信号のレベルである。同図のＬ＋１、Ｇ＋１、Ｌ０、Ｇ０、Ｌ−１は、それぞれ図１６のトラック３３ｂ、３２ｂ、１ａ、２ａ、３ａにおけるピット信号を表わしている。同図からわかるように、ラジアルチルトが０°の場合、ランドに相当するトラック１ａにおけるピット信号の振幅（レベルの絶対値）は、グルーブに相当するトラック２ａにおけるピット信号の振幅と同等で大きい。ラジアルチルトがある場合でも、トラック１ａにおけるピット信号の振幅はあまり小さくならない。一方、ランドに相当するトラック３ａにおいても、トラック１ａと同符号のピット信号が得られるが、その振幅はトラック１ａにおけるピット信号の振幅の半分程度と小さい。ランドに相当するトラック３３ｂにおいては、トラック１ａと逆符号のピット信号しか得られない。また、グルーブに相当するトラック３２ｂにおいては、ピット信号が殆んど得られない。
【００７６】
図１８に、本発明の第七の実施の形態に係る光記録媒体におけるピットの形状を示す。トラック１ａ及び２ａはそれぞれランド（Ｌ）及びグルーブ（Ｇ）に相当する。トラック１ａ、２ａの境界には、双方に共通なアドレス情報を有するピット４ａが形成されている。ピット４ａを形成した部分では、トラック１ａとトラック２ａとの境界が、ピットを形成しない部分におけるトラック１ａの中心の延長線上までトラック１ａ側へ突出しており、かつ、トラック２ａを挟んでトラック１ａに対向するトラック３ａとトラック２ａとの境界が、ピットを形成しない部分におけるトラック２ａの中心の延長線上までトラック２ａ側へ突出している。また、隣接する二つのピット４ａに挟まれた部分では、トラック１ａとトラック２ａとの境界が、ピットを形成しない部分における境界と一致しており、トラック３ａとトラック２ａとの境界が、ピットを形成しない部分における境界と一致している。
【００７７】
さらに、トラック１ａを挟んでトラック２ａと対向するトラックをトラック３２ｂ、トラック３２ｂを挟んでトラック１ａと対向するトラックをトラック３３ｂとする。このとき、トラック３２ｂには、ピット４ａに隣接する位置にカット３４ａが形成されている。カット３４ａを形成した部分では、トラック３２ｂを構成するグルーブが分断されている。また、トラック３ａを挟んでトラック２ａと対向するトラックをトラック３５、トラック３５を挟んでトラック３ａと対向するトラックをトラック３６とする。このとき、トラック３５には、ピット４ａに隣接する位置にカット３４ｂが形成されている。カット３４ｂを形成した部分では、トラック３５を構成するグルーブが分断されている。
【００７８】
本発明の第七の実施の形態に係る光記録媒体によれば、本発明の第一の実施の形態に係る光記録媒体について説明したのと同じ理由により、ランドとグルーブのいずれにおいても良好なピット信号が得られる。
【００７９】
図１９に、本発明の第七の実施の形態に係る光記録媒体における、光記録媒体のラジアルチルトとピット信号との関係の計算例を示す。設定した計算条件は図２と同じである。同図の横軸は光記録媒体のラジアルチルトであり、縦軸はラジアルプッシュプル信号をピット信号として採用した場合のピット信号のレベルである。同図のＬ＋１、Ｇ＋１、Ｌ０、Ｇ０、Ｌ−１、Ｇ−１、Ｌ−２は、それぞれ図１８のトラック３３ｂ、３２ｂ、１ａ、２ａ、３ａ、３５、３６におけるピット信号を表わしている。同図からわかるように、ラジアルチルトが０°の場合、ランドに相当するトラック１ａにおけるピット信号の振幅（レベルの絶対値）は、グルーブに相当するトラック２ａにおけるピット信号の振幅と同等で大きい。ラジアルチルトがある場合でも、トラック１ａにおけるピット信号の振幅はあまり小さくならない。一方、ランドに相当するトラック３６においても、トラック１ａと同符号のピット信号が得られるが、その振幅はトラック１ａにおけるピット信号の振幅の半分程度と小さい。ランドに相当するトラック３３ｂにおいては、トラック１ａと逆符号のピット信号しか得られず、同じくランドに相当するトラック３ａにおいては、ピット信号が殆んど得られない。また、グルーブに相当するトラック３２ｂ、３５においては、ピット信号が殆んど得られない。
【００８０】
図２０に、本発明の第八の実施の形態に係る光記録媒体におけるピットの形状を示す。トラック３７及び３８はそれぞれランド（Ｌ）及びグルーブ（Ｇ）に相当する。さらに、トラック３８を挟んでトラック３７と対向するトラックをトラック３９、トラック３７を挟んでトラック３８と対向するトラックをトラック４０とする。トラック３９、３８の境界、及びトラック３７、４０の境界には、互いに隣接する位置にそれぞれピット４ｆ、及びピット４ｇが形成されている。ピット４ｆ及びピット４ｇは、トラック３７とトラック３８の双方に共通なアドレス情報を有する。ピット４ｆを形成した部分では、トラック３９とトラック３８との境界が、ピットを形成しない部分におけるトラック３９の中心の延長線上までトラック３９側へ突出しており、かつ、トラック３７とトラック３８との境界が、ピットを形成しない部分におけるトラック３８の中心の延長線上までトラック３８側へ突出している。また、隣接する二つのピット４ｆに挟まれた部分では、トラック３９とトラック３８との境界が、ピットを形成しない部分における境界と一致しており、トラック３７とトラック３８との境界が、ピットを形成しない部分における境界と一致している。一方、ピット４ｇを形成した部分では、トラック３７とトラック４０との境界が、ピットを形成しない部分におけるトラック３７の中心の延長線上までトラック３７側へ突出している。また、隣接する二つのピット４ｇに挟まれた部分では、トラック３７とトラック４０との境界が、ピットを形成しない部分における境界と一致している。
【００８１】
本発明の第八の実施の形態に係る光記録媒体によれば、本発明の第一の実施の形態に係る光記録媒体について説明したのと同じ理由により、ランドとグルーブのいずれにおいても良好なピット信号が得られる。
【００８２】
図２１に、本発明の第八の実施の形態に係る光記録媒体における、光記録媒体のラジアルチルトとピット信号との関係の計算例を示す。設定した計算条件は図２と同じである。同図の横軸は光記録媒体のラジアルチルトであり、縦軸はラジアルプッシュプル信号をピット信号として採用した場合のピット信号のレベルである。同図のＬ＋１、Ｇ０、Ｌ０、Ｇ−１は、それぞれ図２０のトラック３９、３８、３７、４０におけるピット信号を表わしている。同図からわかるように、ラジアルチルトが０°の場合、ランドに相当するトラック３７におけるピット信号の振幅（レベルの絶対値）は、グルーブに相当するトラック３８におけるピット信号の振幅と同等で大きい。ラジアルチルトがある場合でも、トラック３７におけるピット信号の振幅はあまり小さくならない。一方、ランドに相当するトラック３９においても、トラック３７と同符号のピット信号が得られるが、その振幅はトラック３７におけるピット信号の振幅の半分程度と小さい。また、グルーブに相当するトラック４０においても、トラック３８と同符号のピット信号が得られるが、その振幅はトラック３８におけるピット信号の振幅の半分程度と小さい。
【００８３】
本発明の第五〜第八の実施の形態に係る光記録媒体におけるピット４ａ、４ｅ、４ｆ、４ｇは、前後のエッジの部分が直線状であるが、本発明の第三の実施の形態に係る光記録媒体におけるピット４ｃと同様に、前後のエッジの部分が曲線状であっても良い。また、本発明の第六及び第七の実施の形態に係る光記録媒体におけるカット３４ａ、３４ｂの部分では、グルーブが直線状に分断されているが、グルーブが曲線状に分断されていても良い。この場合、グルーブのエッジは凸状であることが好ましい。
【００８４】
また、図１４、図１６、図１８、図２０には、複数のピット及びカットが光記録媒体のトラック方向の一箇所に集中して形成されている例を示しているが、図６〜図７に示した例と同様に、複数のピット及びカットが光記録媒体のトラック方向の複数箇所に分散して形成されていても良い。
【００８５】
本発明の実施の形態に係る光学式情報再生装置におけるディスク１０は、本発明の第五〜第八の実施の形態に係る光記録媒体のいずれかであっても良い。
【００８６】
図２２に、本発明の第五の実施の形態に係る光記録原盤の製造方法の様子を示す。この実施の形態は、本発明の第五の実施の形態に係る光記録媒体を作製するための光記録原盤を基板から製造するものである。図１０に示した光記録原盤露光装置により形成される二つの集光スポットのうち、音響光学変調／偏向器２３ａ及び２３ｂで変調／偏向された光をそれぞれ集光スポット３１ａ及び３１ｂとする。
【００８７】
本実施の形態においては、二つの集光スポット３１ａ、３１ｂを用い、まず、グルーブに相当する溝３０ａ及びピットを露光により形成する。ピットを形成しない溝の部分を露光する際には、集光スポット３１ａをスポット中心が溝３０ａの中心と一致するようにして基板へ照射し、集光スポット３１ｂは基板へ照射しない。また、ピットを形成する部分を露光する際には、集光スポット３１ｂをスポット中心が溝３０ａの中心から溝３０ａと直交する方向へ溝３０ａの幅の半分だけシフトするようにして基板へ照射し、集光スポット３１ａは基板へ照射しない。
【００８８】
次に、グルーブに相当する溝４１ａ及びピットを露光により形成する。ピットを形成しない溝の部分を露光する際には、集光スポット３１ａをスポット中心が溝４１ａの中心と一致するようにして基板へ照射し、集光スポット３１ｂは基板へ照射しない。また、ピットを形成する部分を露光する際には、集光スポット３１ｂをスポット中心が溝４１ａの中心から溝４１ａと直交する方向へ溝４１ａの幅の半分だけシフトするようにして基板へ照射し、集光スポット３１ａは基板へ照射しない。
【００８９】
図２３に、本発明の第六の実施の形態に係る光記録原盤の製造方法の様子を示す。この実施の形態は、本発明の第六の実施の形態に係る光記録媒体を作製するための光記録原盤を基板から製造するものである。図１０に示した光記録原盤露光装置により形成される二つの集光スポットのうち、音響光学変調／偏向器２３ａ及び２３ｂで変調／偏向された光をそれぞれ集光スポット３１ａ及び３１ｂとする。
【００９０】
本実施の形態においては、二つの集光スポット３１ａ、３１ｂを用い、まず、グルーブに相当する溝３０ａ及びピットを露光により形成する。ピットを形成しない溝の部分を露光する際には、集光スポット３１ａをスポット中心が溝３０ａの中心と一致するようにして基板へ照射し、集光スポット３１ｂは基板へ照射しない。また、ピットを形成する部分を露光する際には、集光スポット３１ｂをスポット中心が溝３０ａの中心から溝３０ａと直交する方向へ溝３０ａの幅の半分だけシフトするようにして基板へ照射し、集光スポット３１ａは基板へ照射しない。
【００９１】
次に、グルーブに相当する溝４１ｂ及びカットを露光により形成する。カットを形成しない溝の部分を露光する際には、集光スポット３１ａをスポット中心が溝４１ｂの中心と一致するようにして基板へ照射し、集光スポット３１ｂは基板へ照射しない。また、カットを形成する部分を露光する際には、集光スポット３１ａ、３１ｂとも基板へ照射しない。
【００９２】
図２４に、本発明の第七の実施の形態に係る光記録原盤の製造方法の様子を示す。この実施の形態は、本発明の第七の実施の形態に係る光記録媒体を作製するための光記録原盤を基板から製造するものである。図１０に示した光記録原盤露光装置により形成される二つの集光スポットのうち、音響光学変調／偏向器２３ａ及び２３ｂで変調／偏向された光をそれぞれ集光スポット３１ａ及び３１ｂとする。
【００９３】
本実施の形態においては、二つの集光スポット３１ａ、３１ｂを用い、まず、グルーブに相当する溝４２及びカットを露光により形成する。カットを形成しない溝の部分を露光する際には、集光スポット３１ａをスポット中心が溝４２の中心と一致するようにして基板へ照射し、集光スポット３１ｂは基板へ照射しない。また、カットを形成する部分を露光する際には、集光スポット３１ａ、３１ｂとも基板へ照射しない。
【００９４】
次に、グルーブに相当する溝３０ａ及びピットを露光により形成する。ピットを形成しない溝の部分を露光する際には、集光スポット３１ａをスポット中心が溝３０ａの中心と一致するようにして基板へ照射し、集光スポット３１ｂは基板へ照射しない。また、ピットを形成する部分を露光する際には、集光スポット３１ｂをスポット中心が溝３０ａの中心から溝３０ａと直交する方向へ溝３０ａの幅の半分だけシフトするようにして基板へ照射し、集光スポット３１ａは基板へ照射しない。
【００９５】
次に、グルーブに相当する溝４１ｂ及びカットを露光により形成する。カットを形成しない溝の部分を露光する際には、集光スポット３１ａをスポット中心が溝４１ｂの中心と一致するようにして基板へ照射し、集光スポット３１ｂは基板へ照射しない。また、カットを形成する部分を露光する際には、集光スポット３１ａ、３１ｂとも基板へ照射しない。
【００９６】
図２５に、本発明の第八の実施の形態に係る光記録原盤の製造方法の様子を示す。この実施の形態は、本発明の第八の実施の形態に係る光記録媒体を作製するための光記録原盤を基板から製造するものである。図１０に示した光記録原盤露光装置により形成される二つの集光スポットのうち、音響光学変調／偏向器２３ａ及び２３ｂで変調／偏向された光をそれぞれ集光スポット３１ａ及び３１ｂとする。
【００９７】
本実施の形態においては、二つの集光スポット３１ａ、３１ｂを用い、まず、グルーブに相当する溝４４及びピットを露光により形成する。ピットを形成しない溝の部分を露光する際には、集光スポット３１ａをスポット中心が溝４４の中心と一致するようにして基板へ照射し、集光スポット３１ｂは基板へ照射しない。また、ピットを形成する部分を露光する際には、集光スポット３１ｂをスポット中心が溝４４の中心から溝４４と直交する方向へ溝４４の幅の半分だけシフトするようにして基板へ照射し、集光スポット３１ａをスポット中心が溝４４の中心と一致するようにして基板へ照射する。
【００９８】
次に、グルーブに相当する溝４３及びピットを露光により形成する。ピットを形成しない溝の部分を露光する際には、集光スポット３１ａをスポット中心が溝４３の中心と一致するようにして基板へ照射し、集光スポット３１ｂは基板へ照射しない。また、ピットを形成する部分を露光する際には、集光スポット３１ｂをスポット中心が溝４３の中心から溝３０ａと直交する方向へ溝３０ａの幅の半分だけシフトするようにして基板へ照射し、集光スポット３１ａは基板へ照射しない。
【００９９】
本発明の第五〜第八の実施の形態に係る光記録媒体においては、ピットを形成する部分におけるトラックと直交する方向の幅、及び隣接する二つのピットまたはカットに挟まれた部分におけるトラックと直交する方向の幅は、いずれもトラックピッチ以上であり十分に広い。従って、図２で設定した計算条件のように、高密度化のために光源の波長を短く、対物レンズの開口数を高くし、トラックピッチを例えば０．３４μｍと狭くした場合でも、一般的な解像度を有する従来の光記録原盤露光装置でこれらの部分を露光するのは易しい。すなわち、光記録媒体を作製するための光記録原盤を製造するのが容易である。
【０１００】
図２６に、本発明の第九の実施の形態に係る光記録媒体におけるピットの形状を示す。トラック１ａ及び２ａはそれぞれランド（Ｌ）及びグルーブ（Ｇ）に相当する。トラック１ａ、２ａの境界には、双方に共通なアドレス情報を有するピット４ａが形成されている。ピット４ａを形成した部分では、トラック１ａとトラック２ａとの境界が、ピットを形成しない部分におけるトラック１ａの中心の延長線上までトラック１ａ側へ突出しており、かつ、トラック２ａを挟んでトラック１ａに対向するトラック４５とトラック２ａとの境界が、ピットを形成しない部分におけるトラック２ａの中心の延長線上までトラック２ａ側へ突出している。また、隣接する二つのピット４ａに挟まれた部分では、トラック１ａとトラック２ａとの境界が、ピットを形成しない部分における境界と一致しており、トラック４５とトラック２ａとの境界が、ピットを形成しない部分における境界と一致している。
【０１０１】
さらに、トラック１ａを挟んでトラック２ａと対向するトラックをトラック３２ｂ、トラック３２ｂを挟んでトラック１ａと対向するトラックをトラック３３ｂとする。このとき、トラック３２ｂには、ピット４ａに隣接する位置にカット３４ａが形成されている。カット３４ａを形成した部分では、トラック３２ｂを構成するグルーブが分断されている。また、トラック４５を挟んでトラック２ａと対向するトラックをトラック４６、トラック４６を挟んでトラック４５と対向するトラックをトラック４７とする。このとき、トラック４７、４６の境界には、ピット４ａに隣接する位置にピット４ｈが形成されている。ピット４ｈを形成した部分では、トラック４７とトラック４６との境界が、ピットを形成しない部分におけるトラック４７の中心の延長線上までトラック４７側へ突出しており、かつ、トラック４５とトラック４６との境界が、ピットを形成しない部分におけるトラック４６の中心の延長線上までトラック４６側へ突出している。
【０１０２】
本発明の第九の実施の形態に係る光記録媒体によれば、本発明の第一の実施の形態に係る光記録媒体について説明したのと同じ理由により、ランドとグルーブのいずれにおいても良好なピット信号が得られる。
【０１０３】
図２７に、本発明の第九の実施の形態に係る光記録媒体における、光記録媒体のラジアルチルトとピット信号との関係の計算例を示す。設定した計算条件は図２と同じである。同図の横軸は光記録媒体のラジアルチルトであり、縦軸はラジアルプッシュプル信号をピット信号として採用した場合のピット信号のレベルである。同図のＬ＋１、Ｇ＋１、Ｌ０、Ｇ０、Ｌ−１、Ｇ−１、Ｌ−２は、それぞれ図２６のトラック３３ｂ、３２ｂ、１ａ、２ａ、４５、４６、４７におけるピット信号を表わしている。同図からわかるように、ラジアルチルトが０°の場合、ランドに相当するトラック１ａにおけるピット信号の振幅（レベルの絶対値）は、グルーブに相当するトラック２ａにおけるピット信号の振幅と同等で大きい。ラジアルチルトがある場合でも、トラック１ａにおけるピット信号の振幅はあまり小さくならない。一方、ランドに相当するトラック３３ｂ、４７においては、トラック１ａと逆符号のピット信号しか得られず、同じくランドに相当するトラック４５においては、ピット信号が殆んど得られない。また、グルーブに相当するトラック４６においては、トラック２ａと逆符号のピット信号しか得られず、同じくグルーブに相当するトラック３２ｂにおいては、ピット信号が殆んど得られない。
【０１０４】
本発明の第九の実施の形態に係る光記録媒体におけるピット４ａ、４ｈは、前後のエッジの部分が直線状であるが、本発明の第三の実施の形態に係る光記録媒体におけるピット４ｃと同様に、前後のエッジの部分が曲線状であっても良い。また、本発明の第九の実施の形態に係る光記録媒体におけるカット３４ａの部分では、グルーブが直線状に分断されているが、グルーブが曲線状に分断されていても良い。この場合、グルーブのエッジは凸状であることが好ましい。
【０１０５】
また、図２６には、複数のピット及びカットが光記録媒体のトラック方向の一箇所に集中して形成されている例を示しているが、図６〜図７に示した例と同様に、複数のピット及びカットが光記録媒体のトラック方向の複数箇所に分散して形成されていても良い。
【０１０６】
本発明の実施の形態に係る光学式情報再生装置におけるディスク１０は、本発明の第九の実施の形態に係る光記録媒体であっても良い。
【０１０７】
図２８に、本発明の第九の実施の形態に係る光記録媒体を作製するための光記録原盤の製造に用いる光記録原盤露光装置の構成を示す。レーザ１９（例えば波長３５１ｎｍのクリプトンレーザ）からの出射光は電気光学変調器２０により雑音が除去され、ハーフミラー２１ｂにより透過光と反射光とに分けられる。ハーフミラー２１ｂの透過光は音響光学変調／偏向器２３ａへ入射する。一方、ハーフミラー２１ｂの反射光は、ハーフミラー２１ｃによりさらに透過光と反射光とに分けられる。ハーフミラー２１ｃの反射光は音響光学変調／偏向器２３ｂへ入射する。一方、ハーフミラー２１ｃの透過光はミラー２２で反射され、音響光学変調／偏向器２３ｃへ入射する。音響光学変調／偏向器２３ａ、２３ｂ、２３ｃには音響光学素子が内蔵されており、この音響光学素子に高周波電圧を印加すると、素子中に回折格子が形成される。高周波電圧の振幅を変化させると回折格子における回折効率が変化し、入射光に対する出射光の強度が変化する。また、高周波電圧の周波数を変化させると回折格子における回折角が変化し、入射光に対する出射光の向きが変化する。
【０１０８】
フォーマッタ２９は、音響光学変調／偏向器２３ａ、２３ｂ、２３ｃに内蔵された音響光学素子に印加される高周波電圧の振幅、周波数を制御することにより、音響光学変調／偏向器２３ａ、２３ｂ、２３ｃからの出射光の強度、向きを制御する。音響光学変調／偏向器２３ａからの出射光はハーフミラー２５ｂを透過する。一方、音響光学変調／偏向器２３ｂからの出射光はハーフミラー２５ｃで反射され、ハーフミラー２５ｂで反射される。また、音響光学変調／偏向器２３ｃからの出射光はミラー２４で反射され、ハーフミラー２５ｃを透過し、ハーフミラー２５ｂで反射される。ハーフミラー２５ｂの透過光及び反射光はミラー２６で反射され、対物レンズ２７により光記録原盤の元になる基板２８上へ集光される。
【０１０９】
図２９に、本発明の第久の実施の形態に係る光記録原盤の製造方法の様子を示す。この実施の形態は、本発明の第九の実施の形態に係る光記録媒体を作製するための光記録原盤を基板から製造するものである。図２８に示した光記録原盤露光装置により形成される三つの集光スポットのうち、音響光学変調／偏向器２３ａ、２３ｂ及び２３ｃで変調／偏向された光をそれぞれ集光スポット３１ａ、３１ｂ及び３１ｃとする。
【０１１０】
本実施の形態においては、三つの集光スポット３１ａ、３１ｂ、３１ｃを用い、まず、グルーブに相当する溝４８及びピットを露光により形成する。ピットを形成しない溝の部分を露光する際には、集光スポット３１ａをスポット中心が溝４８の中心と一致するようにして基板へ照射し、集光スポット３１ｂ、３１ｃは基板へ照射しない。また、ピットを形成する部分を露光する際には、集光スポット３１ｃをスポット中心が溝４８の中心から溝４８と直交する方向へ溝４８の幅の半分だけシフトするようにして基板へ照射し、集光スポット３１ａ、３１ｂは基板へ照射しない。
【０１１１】
次に、グルーブに相当する溝３０ａ及びピットを露光により形成する。ピットを形成しない溝の部分を露光する際には、集光スポット３１ａをスポット中心が溝３０ａの中心と一致するようにして基板へ照射し、集光スポット３１ｂ、３１ｃは基板へ照射しない。また、ピットを形成する部分を露光する際には、集光スポット３１ｂをスポット中心が溝３０ａの中心から溝３０ａと直交する方向へ溝３０ａの幅の半分だけシフトするようにして基板へ照射し、集光スポット３１ａ、３１ｃは基板へ照射しない。
【０１１２】
次に、グルーブに相当する溝４１ｂ及びカットを露光により形成する。ピットを形成しない溝の部分を露光する際には、集光スポット３１ａをスポット中心が溝４１ｂの中心と一致するようにして基板へ照射し、集光スポット３１ｂ、３１ｃは基板へ照射しない。また、カットを形成する部分を露光する際には、集光スポット３１ａ、３１ｂ、３１ｃとも基板へ照射しない。
【０１１３】
本発明の第九の実施の形態に係る光記録媒体においては、ピットを形成する部分におけるトラックと直交する方向の幅、及び隣接する二つのピットまたはカットに挟まれた部分におけるトラックと直交する方向の幅は、いずれもトラックピッチ以上であり十分に広い。従って、図２で設定した計算条件のように、高密度化のために光源の波長を短く、対物レンズの開口数を高くし、トラックピッチを例えば０．３４μｍと狭くした場合でも、一般的な解像度を有する従来の光記録原盤露光装置でこれらの部分を露光するのは易しい。すなわち、光記録媒体を作製するための光記録原盤を製造するのが容易である。
【０１１４】
以上、本発明をその好適な実施の形態に基づいて説明したが、本発明の光記録媒体、光学式情報再生装置及び光記録原盤の製造方法は、上記の実施の形態にのみ限定されるものではなく、上記の実施の形態に対して種々の修正または変更を施したものも、本発明の範囲に含まれる。
【０１１５】
【発明の効果】
以上に述べたように、本発明の光記録媒体によれば、ピットを形成した部分では、ランドに相当する第１のトラックとグルーブに相当する第２のトラックとの境界が、ピットを形成しない部分における第１のトラックと第２のトラックとの境界よりも第１のトラック側へ突出しており、かつ、第２のトラックを挟んで第１のトラックに対向するランドに相当する第３のトラックと第２のトラックとの境界が、ピットを形成しない部分における第３のトラックと第２のトラックとの境界よりも第２のトラック側へ突出しているため、ランドとグルーブのいずれにおいても良好なピット信号が得られる。
【０１１６】
また、本発明の光学式情報再生装置によれば、上記の本発明の光記録媒体からピット信号を得るため、良好なピット信号に基づく良好なアドレス情報及び記録データの再生が可能である。
【０１１７】
さらに、本発明の光記録原盤の製造方法によれば、上記の本発明の光記録媒体は、ピットを形成する部分におけるトラックと直交する方向の幅、及び隣接する二つのピットに挟まれた部分におけるトラックと直交する方向の幅が、いずれもトラックピッチ以上であり十分に広いため、一般的な解像度を有する従来の光記録原盤露光装置でこれらの部分を露光することができ、光記録媒体を作製するための光記録原盤を製造するのが容易である。
【図面の簡単な説明】
【図１】本発明の第一の実施の形態に係る光記録媒体におけるピットの形状を示す平面図である。
【図２】本発明の第一の実施の形態に係る光記録媒体におけるピット信号の計算例を示すグラフである。
【図３】本発明の第二の実施の形態に係る光記録媒体におけるピットの形状を示す平面図である。
【図４】本発明の第三の実施の形態に係る光記録媒体におけるピットの形状を示す平面図である。
【図５】本発明の第四の実施の形態に係る光記録媒体におけるピットの形状を示す平面図である。
【図６】複数のピットが光記録媒体の複数箇所に分散して形成されている例を示す平面図である。
【図７】複数のピットが光記録媒体の複数箇所に分散して形成されている例を示す平面図である。
【図８】本発明の実施の形態に係る光学式情報再生装置を示すブロック図である。
【図９】本発明の実施の形態に係る光学式情報再生装置に用いる光検出器の構成を示す平面図である。
【図１０】本発明の第一及び第二の実施の形態に係る光記録媒体を作製するための光記録原盤の製造に用いる光記録原盤露光装置の構成を示すブロック図である。
【図１１】（ａ）及び（ｂ）はそれぞれ本発明の第一及び第二の実施の形態に係る光記録原盤の製造方法の様子を示す平面図である。
【図１２】（ａ）及び（ｂ）はそれぞれ本発明の第三及び第四の実施の形態に係る光記録原盤の製造方法の様子を示す平面図である。
【図１３】本発明の第一の実施の形態に係る光記録媒体における、光記録媒体のラジアルチルトとピット信号との関係の計算例を示すグラフである。
【図１４】本発明の第五の実施の形態に係る光記録媒体におけるピットの形状を示す平面図である。
【図１５】本発明の第五の実施の形態に係る光記録媒体における、光記録媒体のラジアルチルトとピット信号との関係の計算例を示すグラフである。
【図１６】本発明の第六の実施の形態に係る光記録媒体におけるピットの形状を示す平面図である。
【図１７】本発明の第六の実施の形態に係る光記録媒体における、光記録媒体のラジアルチルトとピット信号との関係の計算例を示すグラフである。
【図１８】本発明の第七の実施の形態に係る光記録媒体におけるピットの形状を示す平面図である。
【図１９】本発明の第七の実施の形態に係る光記録媒体における、光記録媒体のラジアルチルトとピット信号との関係の計算例を示すグラフである。
【図２０】本発明の第八の実施の形態に係る光記録媒体におけるピットの形状を示す平面図である。
【図２１】本発明の第八の実施の形態に係る光記録媒体における、光記録媒体のラジアルチルトとピット信号との関係の計算例を示すグラフである。
【図２２】本発明の第五の実施の形態に係る光記録原盤の製造方法の様子を示す平面図である。
【図２３】本発明の第六の実施の形態に係る光記録原盤の製造方法の様子を示す平面図である。
【図２４】本発明の第七の実施の形態に係る光記録原盤の製造方法の様子を示す平面図である。
【図２５】本発明の第八の実施の形態に係る光記録原盤の製造方法の様子を示す平面図である。
【図２６】本発明の第九の実施の形態に係る光記録媒体におけるピットの形状を示す平面図である。
【図２７】本発明の第九の実施の形態に係る光記録媒体における、光記録媒体のラジアルチルトとピット信号との関係の計算例を示すグラフである。
【図２８】本発明の第九の実施の形態に係る光記録媒体を作製するための光記録原盤の製造に用いる光記録原盤露光装置の構成を示すブロック図である。
【図２９】本発明の第久の実施の形態に係る光記録原盤の製造方法の様子を示す平面図である。
【図３０】従来の光記録媒体の第一の例におけるピットの形状を示す平面図である。
【図３１】従来の光記録媒体の第二の例におけるピットの形状を示す平面図である。
【図３２】図３０に示した光記録媒体におけるピット信号の計算例を示すグラフである。
【図３３】図３１に示した光記録媒体を作製するための光記録原盤の製造方法の様子を示す平面図である。
【符号の説明】
１ａ、１ｂ、１ｃ、１ｄ、１ｅ、１ｆ、２ａ、２ｂ、２ｃ、２ｄ、２ｅ、２ｆ、３ａ、３ｂ、３ｃ、３ｄ、３２ａ、３２ｂ、３３ａ、３３ｂ、３５、３６、３７、３８、３９、４０、４５、４６、４７  トラック
４ａ、４ｂ、４ｃ、４ｄ、４ｅ、４ｆ、４ｇ、４ｈ、４ｉ、４ｊ  ピット
５  半導体レーザ
６  コリメータレンズ
７  偏光ビームスプリッタ
８  １／４波長板
９  対物レンズ
１０  ディスク
１１  円筒レンズ
１２  レンズ
１３  光検出器
１４  プリアンプ
１５  信号処理回路
１６  復調回路
１７ａ、１７ｂ、１７ｃ、１７ｄ  受光部
１８  光スポット
１９  レーザ
２０  電気光学変調器
２１ａ、２１ｂ、２１ｃ、２５ａ、２５ｂ、２５ｃ  ハーフミラー
２２、２４、２６  ミラー
２３ａ、２３ｂ、２３ｃ  音響光学変調／偏向器
２７  対物レンズ
２８  基板
２９  フォーマッタ
３０ａ、３０ｂ、３０ｃ、４１ａ、４１ｂ、４２、４３、４４、４８  溝
３１ａ、３１ｂ、３１ｃ  集光スポット
３４ａ、３４ｂ  カット
【図１】
2004178781.tif 000003
【図２】
2004178781.tif 000004
【図３】
2004178781.tif 000005
【図４】
2004178781.tif 000006
【図５】
2004178781.tif 000007
【図６】
2004178781.tif 000008
【図７】
2004178781.tif 000009
【図８】
2004178781.tif 000010
【図９】
2004178781.tif 000011
【図１０】
2004178781.tif 000012
【図１１】
2004178781.tif 000013
【図１２】
2004178781.tif 000014
【図１３】
2004178781.tif 000015
【図１４】
2004178781.tif 000016
【図１５】
2004178781.tif 000017
【図１６】
2004178781.tif 000018
【図１７】
2004178781.tif 000019
【図１８】
2004178781.tif 000020
【図１９】
2004178781.tif 000021
【図２０】
2004178781.tif 000022
【図２１】
2004178781.tif 000023
【図２２】
2004178781.tif 000024
【図２３】
2004178781.tif 000025
【図２４】
2004178781.tif 000026
【図２５】
2004178781.tif 000027
【図２６】
2004178781.tif 000028
【図２７】
2004178781.tif 000029
【図２８】
2004178781.tif 000030
【図２９】
2004178781.tif 000031
【図３０】
2004178781.tif 000032
【図３１】
2004178781.tif 000033
【図３２】
2004178781.tif 000034
【図３３】
2004178781.tif 000035